(57)【要約】      （修正有）【課題】非使用時において穂先へのインクの供給を完全に絶つことにより穂先の乾燥状態を維持して保護することができ、また、非使用時においてインクの漏出のおそれがない筆ペンを提供する。【解決手段】穂先１を保持する穂先ホルダー２と、インクカートリッジ３と、穂先ホルダー２とインクカートリッジ３との間に位置し、穂先ホルダー２とインクカートリッジ３をそれぞれ着脱可能に連結する軸本体４と、穂先１を収納して保護するキャップ５とから成り、キャップ５は、穂先１を軸本体４に向けた状態で軸本体４に取り付け可能であって、軸本体４に取り付けた際にキャップ５が備えるインク遮断手段によってインクの供給が遮断される。【選択図】図４
2019171755.tif 000002
【特許請求の範囲】
【請求項１】
穂先を保持する穂先ホルダーと、インクカートリッジと、前記穂先ホルダーと前記インクカートリッジとの間に位置し、前記穂先ホルダーと前記インクカートリッジをそれぞれ着脱可能に連結する軸本体と、前記穂先を収納して保護するキャップとから成り、
前記穂先ホルダーは前記軸本体に対して着脱自在であり、非使用時に前記穂先と共に前記軸本体から取り外し、前記穂先を前記キャップ内に差し込んだ状態で前記キャップに固定可能であり、前記穂先ホルダーを固定した前記キャップは、前記穂先を前記軸本体に向けた状態で前記軸本体に取り付け可能であって、前記軸本体に取り付けた際に前記キャップが備えるインク遮断手段によってインクの供給が遮断されることを特徴とする筆ペン。
【請求項２】
前記インク遮断手段は、前記キャップの一端部に設けられる閉塞板に突設されて、前記軸本体の端部に嵌合される栓のインク通流孔に密に嵌合するシール用突起である、請求項１に記載の筆ペン。
【請求項３】
前記キャップの周側面に通気窓が設けられている、請求項１又は２に記載の筆ペン。
【請求項４】
前記穂先は、前記穂先ホルダー内に嵌装される穂先台座に一体化され、前記穂先台座を介して前記穂先ホルダーに固定される、請求項１乃至３のいずれかに記載の筆ペン。
【請求項５】
前記穂先は前記穂先台座と共に交換可能である、請求項４に記載の筆ペン。
【請求項６】
前記穂先ホルダーと前記軸本体、及び、前記インクカートリッジと前記軸本体はそれぞれねじ込みによって連結され、前記穂先ホルダーと前記軸本体間のねじ込み方向と前記インクカートリッジと前記軸本体間のねじ込み方向が逆に設定される、請求項１乃至５のいずれかに記載の筆ペン。
【請求項７】
穂先を保持する穂先ホルダーと、インクカートリッジと、前記穂先ホルダーと前記インクカートリッジとの間に位置し、前記穂先ホルダーと前記インクカートリッジをそれぞれ着脱可能に連結する軸本体と、前記穂先を収納して保護するキャップとから成り、
前記穂先は、穂先ホルダー内に嵌装される穂先台座に一体化されていて、前記穂先台座と共に交換可能であることを特徴とする筆ペン。
【発明の詳細な説明】
【技術分野】
【０００１】
本発明は筆ペン、より詳細には、インクカートリッジ式であって、非使用時において穂先の乾燥状態を保持し得る筆ペンに関するものである。
【背景技術】
【０００２】
筆は、使用後、穂先の中に墨等のインクが残っていると、穂先が固まったり割れたりして傷み、次回の使用に支障をきたすおそれがあるので、使用後水洗いしておく必要があり、また、水洗いした後、水気を切って乾燥させる必要がある。十分に乾燥させず水分が残ったままにしていると、やはり次回の使用に支障をきたしたり、穂先にかびが発生したりするおそれがある。
【０００３】
このような問題を解決するために、特開２０１３−５２６３４号公報（特許文献１）においては、穂先を密閉保護する保湿キャップを備えた毛筆が提唱され、また、実開平７−２３５９１号公報（特許文献２）においては、穂先を乾燥させるために通孔を設けたキャップが提唱されている。しかし、特許文献１で提唱されている毛筆では、十分に穂先の乾燥をすることができず、また、特許文献２で提唱されているキャップは、対応できない筆もあり得、更に、別途購入という手間や費用がかかる難点がある。掛かってしまうおそれがある。
【０００４】
また、インクカートリッジ式の筆ペンの場合は、使用後に穂先に対するインク供給を止めることができないため、常時穂先がインクを含んだ状態にあり、使用後に水洗いすることができないという問題があり、更に、従来の筆ペンの場合は筆先の交換ができないため、筆先が傷んだ時点で廃棄せざるを得なかった。
【先行技術文献】
【特許文献】
【０００５】
【特許文献１】特開２０１３−５２６３４号公報
【特許文献２】実開平７−２３５９１号公報
【発明の概要】
【発明が解決しようとする課題】
【０００６】
上記のとおり、従来の筆ペンの場合は、使用後に穂先に対するインク供給を止めることができないため、常時穂先がインクを含んだ状態にあり、使用後に水洗いすることができないので、使用後における筆の手入れを十分に行うことができないという問題があり、また、筆先のみの交換ができないため、筆先が傷んだ時点で廃棄せざるを得ないため、非経済的であった。
【０００７】
そこで本発明は、非使用時において穂先へのインクの供給を完全に絶つことにより穂先の乾燥状態を維持して保護することができ、また、非使用時においてインクの漏出のおそれがなく、しかも、筆先のみの交換が可能で経済的な筆ペンを提供することを課題とする。
【課題を解決するための手段】
【０００８】
上記課題を解決するための請求項１に記載の発明は、穂先を保持する穂先ホルダーと、インクカートリッジと、前記穂先ホルダーと前記インクカートリッジとの間に位置し、前記穂先ホルダーと前記インクカートリッジをそれぞれ着脱可能に連結する軸本体と、前記穂先を収納して保護するキャップとから成り、
前記穂先ホルダーは前記軸本体に対して着脱自在であり、非使用時に前記穂先と共に前記軸本体から取り外し、前記穂先を前記キャップ内に差し込んだ状態で前記キャップに固定可能であり、前記穂先ホルダーを固定した前記キャップは、前記穂先を前記軸本体に向けた状態で前記軸本体に取り付け可能であって、前記軸本体に取り付けた際に前記キャップが備えるインク遮断手段によってインクの供給が遮断されることを特徴とする筆ペンである。
【０００９】
一実施形態においては、前記インク遮断手段は、前記キャップの一端部に設けられる閉塞板に突設されて、前記軸本体の端部に嵌合される栓のインク通流孔に密に嵌合するシール用突起である。また、一実施形態においては、前記キャップの周側面に通気窓が設けられる。
【００１０】
一実施形態においては、前記穂先は、穂先ホルダー内に嵌装される穂先台座に一体化され、前記穂先台座を介して前記穂先ホルダーに固定される。そして、前記穂先と前記穂先台座とから成る筆先は交換可能である。また、一実施形態においては、前記穂先ホルダーと前記軸本体及び前記インクカートリッジと前記軸本体はそれぞれねじ込みによって連結され、前記穂先ホルダーと前記軸本体間のねじ込み方向と前記インクカートリッジと前記軸本体間のねじ込み方向が逆に設定される。
【００１１】
また、上記課題を解決するための請求項７に記載の発明は、穂先を保持する穂先ホルダーと、インクカートリッジと、前記穂先ホルダーと前記インクカートリッジとの間に位置し、前記穂先ホルダーと前記インクカートリッジをそれぞれ着脱可能に連結する軸本体と、前記穂先を収納して保護するキャップとから成り、前記穂先は、穂先ホルダー内に嵌装される穂先台座に一体化されていて、前記穂先台座と共に交換可能であることを特徴とする筆ペンである。
【発明の効果】
【００１２】
本発明に係る筆ペンは上記構成であって、交換可能なインクカートリッジ式であるため、インクカートリッジを交換することによって筆の反復使用が可能で経済的であり、非使用時において穂先はインク供給路から切り離され、且つ、キャップの通気窓を介して外気に晒されて乾燥し、以後その乾燥状態を維持するので、湿気を帯びた状態が続くことによって穂先が傷んだり、カビが発生したりするおそれがなく、穂先をインク供給路から切り離した後にインク漏れが発生するおそれがないという効果がある。また、筆先が交換可能であることにより、長期使用が可能となって経済的であると共に、使用者が好みに合わせて筆先の種類を選択することが可能となるという効果がある。
【図面の簡単な説明】
【００１３】
【図１】本発明に係る筆ペンの、キャップを外した状態の正面図である。
【図２】本発明に係る筆ペンの分解斜視図である。
【図３】本発明に係る筆ペンの縦断面図及びその要部拡大図である。
【図４】本発明に係る筆ペンの非使用時における穂先収納状態を示す正面図及びその縦断面図である。
【図５】本発明に係る筆ペンにおけるインクの流れを示す縦断面図である。
【図６】本発明に係る筆ペンにおけるキャップの構成を示す図である。
【図７】本発明に係る筆ペンにおける筆先ホルダーの構成を示す図である。
【図８】本発明に係る筆ペンにおける穂先台座の構成を示す図である。
【図９】本発明に係る筆ペンにおける栓の構成を示す図である。
【図１０】本発明に係る筆ペンにおける軸本体の構成を示す図である。
【発明を実施するための形態】
【００１４】
本発明を実施するための形態について、添付図面に依拠して説明する。図１は、本発明に係る筆ペンの、キャップを外した状態の正面図、図２はその分解斜視図であり、そこに示されるように、本発明に係る筆ペンは、穂先１を保持する穂先ホルダー２と、インクカートリッジ３と、穂先ホルダー２とインクカートリッジ３との間に位置し、穂先ホルダー２とインクカートリッジ３をそれぞれ着脱可能に連結する軸本体４と、穂先１を収納して保護するキャップ５とから成る。
【００１５】
穂先１は、穂先ホルダー２内に嵌装される穂先台座６に一体化され、穂先台座６を介して穂先ホルダー２に固定される（特に図３参照）。穂先台座６の底面には、適宜間隔置きに脚座７が設けられ、後述する栓２５との間にインク供給空間８が形成される（図３，５参照）。脚座７の下部は少し外方に張り出し、また、穂先台座６の外周面に軸方向に伸びるインク溝９が形成されると共に、穂先ホルダー２の内周壁にスペーサーとして機能するリブ１０aが形成されることにより、穂先台座６の外周面と穂先ホルダー２の内周面との間にインク供給路１０が確保される（図５，７参照）。
【００１６】
穂先ホルダー２は軸本体４に対して着脱自在であり、非使用時に穂先１と共に軸本体４から取り外し、穂先１をキャップ５内に差し込んで押し込むことにより、キャップ５に固定可能である。穂先ホルダー２の外周面には、その際にストッパーとして機能する鍔部１４ａが形成される（図７参照）。そのようにして穂先ホルダー２を固定したキャップ５は、後述するように、穂先１を軸本体４に向けた状態で軸本体４に取り付け可能である（図４参照）。
【００１７】
キャップ５は一端が開口され、他端に、少し奥まらせて閉塞板１１が配設された円筒体で、その中間部周側面に、適宜区分けされた通気窓１２が形成される。この通気窓１２は、非使用時においてキャップ５内に通気させて穂先１の十分な乾燥を促進させる。閉塞板１１の中央部には、非使用時におけるインク漏れを防止するためのシール用突起１３が突設される（図６参照）。このシール用突起１３は、後述する栓２５のインク通流孔２９内に密に嵌入してインクの通流を止める（図４参照）。
【００１８】
キャップ５内にはその開口側から穂先１が挿入されて固定されるが、その際、穂先１を保持する穂先ホルダー２の一端外周面が、キャップ５の内周面に密に摺接する。その後の穂先ホルダー２の抜け止めのために、摺接し合う穂先ホルダー２の外周面に係止突条１４を形成し（図７参照）、キャップ５の内周面に係止突条１４に対応する凸部１５を設けることが好ましい（図６参照）。また、キャップ５の閉塞板１１配設部よりも外側の内周面にメネジ１６が切られる。キャップ５は、このメネジ１６が、軸本体４の端部外周面に形成されるオネジ１７と螺合することにより、軸本体４に対して螺着可能となる（図４，６，１０参照）。また、穂先ホルダー２の内周面にも、キャップ５に形成されるメネジ１６と同じメネジ２０が形成され、軸本体４のオネジ１７と螺合する（図３，７参照）。
【００１９】
軸本体４のオネジ１７形成側と反対側の端部内周面にメネジ１８が切られ、そこに、インクカートリッジ３の先端部外周面に形成されたオネジ１９が螺合する（図２，３，１０参照）。かくしてインクカートリッジ３は、軸本体４に対して着脱可能となり、交換が可能となる。なお、軸本体４のオネジ１７と穂先ホルダー２のメネジ２０の組みのねじ切り方向と、軸本体４のメネジ１８とインクカートリッジ３のオネジ１９の組みのねじ切り方向は逆であることが好ましい。そのようにした場合は、例えば、インクカートリッジ３の交換に当たり、インクカートリッジ３を軸本体４にねじ込んでいく際に、軸本体４と穂先ホルダー２の間においてねじが緩むことが防止される。
【００２０】
インクカートリッジ３は押し抜き栓２１によって密栓されており、軸本体４にセットするに伴って押し抜き栓２１が押し抜かれ、開栓するようになっている。即ち、軸本体４の内部に、インクカートリッジ３の接続時に押し抜き栓２１を押し抜くための押し抜き筒２２が配設される（図１０参照）。押し抜き筒２２は、軸本体４の内周面に形成される円筒部２３の中心に立設され、インクカートリッジ３から出るインクを通流させる。また、軸本体４の先端開口部に、上記栓２５が嵌着される（図３参照）。
【００２１】
栓２５は、図９に示されるようなフランジ付き皿状体で、中心部に円形台座２６を介して中空筒２７が形成され、中空筒２７の中心に中空凸部２８が延設され、中空凸部２８から中空筒２７に抜けるインク通流孔２９が形成される。また、中空筒２７から円形台座２６にかけて縦に抜けるインク溝３０が、通例、対称的に一対形成される。中空筒２７には調整筒３１が嵌着される（図３，５参照）。その際、調整筒３１の内天面が中空凸部２８の上端面から離隔するようにすることで、調整筒３１内にインク貯留空間３２が形成される。なお、図２，３における符号３３はシールリングを示している。
【００２２】
好ましい実施形態においては、穂先１と穂先ホルダー２とから成る筆先を独立の部品として、交換可能にされる。そのようにした場合、筆先を交換することにより、長期使用が可能となるだけでなく、種類の異なる穂先１（羊毛、馬毛、狸毛等）を用意しておくことにより、使用者が好みに合わせて選択することが可能となり、商品価値が高まる。
【００２３】
上記構成の本発明に係る筆ペンは、不使用時には、図４に示されるように、穂先１はキャップ５内に収められ、穂先１を軸本体４に向けて、キャップ５の閉塞板７側のメネジ１６に軸本体４のオネジ１７を螺合させることで、キャップ５が軸本体４に螺着される。その際、キャップ５のシール用突起１３が栓２５のインク通流孔２９内に密に嵌入することで、インクの漏出が止められる（図４参照）。この状態において穂先１は、インク供給路から切り離され、且つ、キャップ５の通気窓１２を介して外気に晒されて乾燥し、以後その乾燥状態を維持する。従って、湿気を帯びた状態が続くことによって穂先１が傷んだり、カビが発生したりするおそれはない。
【００２４】
使用に際しては、キャップ５を軸本体４から外すと共に穂先ホルダー２をキャップ５から外し、軸本体４のオネジ１７を穂先ホルダー２のメネジ２０にねじ込むことにより、穂先ホルダー２を軸本体４に取り付ける（図１，３の状態）。かくして後述するインクの通流経路を経て穂先１にインクが供給され、筆記可能となる。筆記に間を置く場合や一時的に中止する場合は、穂先ホルダー２を軸本体４に取り付けたまま、穂先１にキャップ５を被装する。そして、筆記を中止する場合は、上記と逆の操作を行って、図４に示す状態に戻す。
【００２５】
次いで、上記構成の本発明に係る筆ペンにおけるインクの通流経路について説明する。当初押し抜き栓２１によって密栓されているカートリッジ３を軸本体４にねじ込んでいくと、押し抜き栓２１によって密栓されていたカートリッジ３の押し抜き栓２１の天面２１ａが軸本体４の押し抜き筒２２によって押し抜かれる（図３参照）。押し抜き栓２１の天面２１ａは、周囲が薄く繋がっているだけであるので、押し抜くのにさほど大きな力は要らない。この押し抜き栓２１の押し抜きに伴い、インクカートリッジ３内のインクが、押し抜き筒２２を経てインク室３５内に流れ込み、そこを満たす（図５参照）。
【００２６】
インク室３５内のインクは、栓２５のインク溝３０内を上って調整筒３１のインク貯留空間３２を満たし、中空凸部２８からインク通流孔２９内を通流して、穂先台座６と栓２５との間のインク供給空間８に流入する（図３，５参照）。その後インクは、穂先台座６の外周面と穂先ホルダー２の内周面との間に形成されるインク供給路１０を通って穂先１に達し、穂先１を湿潤させる（図３，５参照）。
【産業上の利用可能性】
【００２７】
本発明に係る筆ペンは上記構成であって、交換可能なインクカートリッジ式であるため、インクカートリッジ３を交換することによって穂先１の反復使用が可能であると共に、穂先１と穂先台座６とが一体となった筆先が交換可能にされることによって長期使用が可能となるため経済的である。また、複数種の筆先の中から使用者が好みの種類の筆先を選択して使用することが可能となり、商品価値が高まるというメリットがある。    
【００２８】
また、穂先１はインク供給路から切り離され、インク供給路は、キャップが備えるインク遮断手段（シール用突起１３）によって閉塞されるため、インク漏れが発生するおそれがなく、穂先ホルダー２と一体の穂先１は、使用後軸本体４から外して水洗いすることができ、その後通気性のあるキャップ５によって保護しつつ乾燥を促進させることができるので、十分な手入れが可能となるという効果のあるものであって、その産業上の利用可能性は大である。  
【符号の説明】
【００２９】
１            穂先
２            穂先ホルダー
３            インクカートリッジ
４            軸本体
５            キャップ
６            穂先台座    
１１          閉塞板
１２          通気窓
１３          シール用突起
２１          押し抜き栓
２５          栓
【図１】
2019171755.tif 000003
【図２】
2019171755.tif 000004
【図３】
2019171755.tif 000005
【図４】
2019171755.tif 000006
【図５】
2019171755.tif 000007
【図６】
2019171755.tif 000008
【図７】
2019171755.tif 000009
【図８】
2019171755.tif 000010
【図９】
2019171755.tif 000011
【図１０】
2019171755.tif 000012